(57)【要約】複数の周波数領域における作動のために利用可能なスロットアンテナ（１）が提案される。スロットアンテナ（１）は、基準電位を形成する導電性のグラウンドプレーン（５）とは離れている第１の導電性のディスク（１０）を備えており、該ディスクはその外縁部（１５）で少なくとも１つの第１の導電性のウェブ（２０，２１，２２）を介して前記グラウンドプレーン（５）に連結されている。第１のディスク（１０）は切り欠き（２５）を有している。切り欠き（２５）の上方には第２の導電性のディスク（３０）が配置されており、該第２のディスクはその外縁部（３５）が少なくとも１つの第２の導電性のウェブ（４０，４１，４２）を介して前記グラウンドプレーン（５）に連結されている。第２のディスク（３０）にアンテナ導体（４５）が導かれている。
2004502370.tif 000002
【特許請求の範囲】
【請求項１】
基準電位を形成する導電性のグラウンドプレーン（５）とは離れている第１の導電性のディスク（１０）を備えているスロットアンテナ（１）であって、該ディスクはその外縁部（１５）で少なくとも１つの第１の導電性のウェブ（２０，２１，２２）を介して前記グラウンドプレーン（５）に連結されている形式のものにおいて、
前記第１のディスク（１０）は切り欠き（２５）を有しており、
該切り欠き（２５）の上方には第２の導電性のディスク（３０）が配置されており、該第２のディスクはその外縁部（３５）が少なくとも１つの第２の導電性のウェブ（４０，４１，４２）を介して前記第１のディスク（１０）に連結されており、かつ
前記第２のディスク（３０）にアンテナ導体（４５）が導かれている
ことを特徴とするスロットアンテナ（１）。
【請求項２】
第１のディスク（１０）および／または第２のディスク（３０）の外縁部（１５，３５）は実質的に円形状である
請求項１記載のスロットアンテナ（１）。
【請求項３】
第１のディスク（１０）の切り欠き（２５）は実質的に円面形状に実現されている
請求項１または２記載のスロットアンテナ（１）。
【請求項４】
第１のディスク（１０）および／または第２のディスク（３０）は実質的に丸みをつけられた角を有するｎ角の形状に実現されている
請求項１から３までのいずれか１項記載のスロットアンテナ（１）。
【請求項５】
第１のディスク（１０）および／または第２のディスク（３０）は実質的に卵形または楕円形に実現されている
請求項１から４までのいずれか１項記載のスロットアンテナ（１）。
【請求項６】
第１のディスク（１０）および／または第２のディスク（３０）は非対称形に実現されている
請求項１から５までのいずれか１項記載のスロットアンテナ（１）。
【請求項７】
第１のディスク（１０）の切り欠き（２５）の円状面は実質的に、第２のディスク（３０）の円状面に相応する
請求項３が請求項２に関連付けられている場合の、請求項３記載のスロットアンテナ（１）。
【請求項８】
第１のディスク（１０）の切り欠き（２５）の円状面は実質的に、第２のディスク（３０）の円状面より小さい
請求項３が請求項２に関連付けられている場合の、請求項３記載のスロットアンテナ（１）。
【請求項９】
第１のディスク（１０）および第２のディスク（３０）は実質的に同心的に配置されている
請求項１から８までのいずれか１項記載のスロットアンテナ（１）。
【請求項１０】
前記ウェブ（２０，２１，２２，４０，４１，４２）は前記ディスク（１０，３０）およびグラウンドプレーン（５）に対して実質的に垂直である
請求項１から９までのいずれか１項記載のスロットアンテナ（１）。
【請求項１１】
第１のディスク（１０）とグラウンドプレーン（５）との間に、３つのウェブ（２０，２１，２２）が配置されておりかつ
第１のディスク（１０）および第２のディスク（３０）との間に同様に３つのウェブ（４０，４１，４２）が配置されている
請求項１から１０までのいずれか１項記載のスロットアンテナ（１）。
【請求項１２】
グラウンドプレーン（５）と第１のディスク（１０）との間の３つのウェブ（２０，２１，２２）はそれぞれ実質的に１２０°づつ相互にずらされて配置されておりかつ
第１のディスク（１０）と第２のディスク（３０）との間の３つのウェブ（４０，４１，４２）は同様にそれぞれ実質的に１２０°づつ相互にずらされて配置されている
請求項１１記載のスロットアンテナ（１）。
【請求項１３】
グラウンドプレーン（５）と第１のディスク（１０）との間の３つのウェブ（２０，２１，２２）は第１のディスク（１０）と第２のディスク（３０）との間の３つのウェブ（４０，４１，４２）に対して６０°づつ相互にずらされて配置されている
請求項１１または１２記載のスロットアンテナ（１）。
【請求項１４】
スロットアンテナ（１）は、使用されるディスク（１０，３０）の数に相応する数の種々の周波数領域において作動可能であり、ここでそれぞれの作動周波数はそれぞれのディスク（１０，３０）の外縁部（１５，３５）でのスロット長に依存している
請求項１から１３までのいずれか１項記載のスロットアンテナ（１）。
【請求項１５】
グラウンドプレーン（５）と第１のディスク（１０）との間の１つまたは複数の隣接するウェブ（２０，２１，２２；４０，４１，４２）によって形成されるスロットはそれぞれ、第１の作動波長の実質的に１／２の長さを有しておりかつ
第１のディスク（１０）と第２のディスク（３０）との間の１つまたは複数の隣接するウェブ（４０，４１，４２）によって形成されるスロットはそれぞれ、第２の作動波長の実質的に１／２の長さを有している
請求項１から１４までのいずれか１項記載のスロットアンテナ（１）。
【請求項１６】
第１のディスク（１０）の切り欠き（２５）は第１のディスク（１０）に対して同心的に配置されている
請求項１から１５までのいずれか１項記載のスロットアンテナ（１）。
【請求項１７】
第１のディスク（１０）と第２のディスク（３０）との間に少なくとも１つの第３のディスク（５０）が設けられており、該ディスクは同様に切り欠き（５５）を有しており、かつ
第３のディスク（５０）は例えば少なくとも第２のウェブ（４０，４１，４２）に相応している少なくとも１つの第３のウェブを介してその上に直接隣接しているディスク（３０）の外縁部（３５）に連結されておりかつそれ自体の外縁部（６５）が少なくとも１つの第４のウェブ（６０，６１）を介してその下に存在している直接隣接しているディスク（１０）に連結されている
請求項１から１６までのいずれか１項記載のスロットアンテナ（１）。
【請求項１８】
ディスク（１０，３０）の直径は大きければ大きいほど、当該ディスクのグラウンドプレーン（５）からの間隔はますます短い
請求項１から１７までのいずれか１項記載のスロットアンテナ（１）。
【発明の詳細な説明】
【０００１】
従来の技術
本発明は独立請求項の上位概念に記載のスロットアンテナから出発している。
【０００２】
ＷＯ９７／４１６１９号から既に、９００ＭＨｚの作動周波数に対する移動無線アンテナおよびＧＰＳアンテナ（Ｇｌｏｂａｌ Ｐｏｓｉｔｉｏｎｉｎｇ Ｓｙｓｔｅｍ）を結合した組み合わせフラットアンテナが公知である。その際移動無線アンテナは、中心点に給電される円形の導電性のディスクから成っている。このディスクは導電性のグラウンドプレーンの上に配置されている。その際円形のディスクは外縁部が３つの導電性のウェブを介してグラウンドプレーンに連結されている。このようにして３つの円形状に配置されているスロットアンテナが生じる。ＧＰＳアンテナはパッチアンテナとして実現されておりかつ円形のディスク上に配置されているので、２つのアンテナをコンパクトな構造でまとめることができる。
【０００３】
発明の利点
これに対して請求項１の特徴部分に記載の構成を有する本発明のスロットアンテナは、第１のディスクが切り欠きを有しており、該切り欠きの上方には第２の導電性のディスクが配置されており、該第２のディスクはその外縁部が少なくとも１つの第２の導電性のウェブを介して第１のディスクに連結されており、かつ第２のディスクにアンテナ導体が導かれているという利点を有している。このようにして、アンテナ導体を用いた唯一の共通の給電しか必要としないカスケード接続されたスロットアンテナが実現される。従って、２つまたはそれ以上の数の周波数領域に対する無線アンテナを低コストでしかもスペースを節約して製造することができる。その場合ＧＰＳパッチアンテナを第２のディスク上に付加的に配置させることができる。冒頭に挙げた刊行物から公知のスロットアンテナを本発明により少なくとも１つの別の共振器を上に増設することで、複数のこの種の共振器がコンパクトな構造で上下に次々と積み上げられる。
【０００４】
従属請求項に記載の構成によって、独立請求項に記載のスロットアンテナの有利な形態および改良が可能である。
【０００５】
第１のディスクおよび第２のディスクがそれぞれ円形状の周囲を有しているようにすれば特別有利である。このようにして指向特性としてスロットアンテナに対する優先方向のない円形放射パターンが実現される。
【０００６】
ディスクの少なくとも１つが円形状の周囲を持つように実現されておらず、例えばｎ角形、卵形または楕円形または非対称形に実現されていても有利である。このようにしてスロットアンテナに対して優先方向を有する歪んだ指向特性が生じる。指向特性のこの歪みは、周囲の影響を補償するために意図的に使用することができる。すなわち例えば、車両のクロスビームまたはルーフエッジが原因で生じるような、車両に取り付けられているスロットアンテナの指向特性の歪みに対して、クロスビームまたはルーフエッジが原因で生じる歪みがディスクの選択された形状によって形成される歪みに重畳されるようにして、再び近似的に、優先方向のない円形放射パターンが生じるように反対の作用を与えてやることができる。
【０００７】
ディスクの周囲が円形で実現されている場合の別の利点は、第１のディスクの切り欠きの円状面を第２のディスクの円状面より小さくすると得られる。このようにすれば、ディスクおよび切り欠きが同心的に配置されておりかつディスクに対してウェブが垂直に配置されていれば、エレベーション放射パターンにおいて一層フラットな放射が実現される。２つのディスクの同心的な配置によって、２つのディスクに基づいている共振器に対して、同心的な指向特性が実現される。
【０００８】
第１のディスクとグラウンドプレーンとの間に、３つのウェブが配置されておりかつ第１のディスクおよび第２のディスクとの間に同様に３つのウェブが配置されているようにすれば特別有利である。このようにして２つの共振器のそれぞれは、比較的高い送信および／または受信帯域幅を実現するマルチスロットアンテナとして実現されている。
【０００９】
グラウンドプレーンと第１のディスクとの間のウェブは第１のディスクと第２のディスクとの間のウェブに対して６０°だけ相互にずらされて配置されているのようにすれば特別有利である。このようにして２つの共振器の相互作用を最小限にすることができる。その際共振器に生じる電流および電圧最大値は一致せず、電気的に相互に１８０°ずらされている。これにより、２つの共振器のそれぞれの作動周波数において申し分ない放射を可能にする電流分布（Ｓｔｒｏｍｂｅｌｅｇｕｎｇ）が生じる。
【００１０】
第１のディスクと第２のディスクとの間に少なくとも１つの第３のディスクが設けられており、該ディスクは同様に切り欠きを有しており、かつ第３のディスクは例えば少なくとも１つの第２のウェブに相応している少なくとも１つの第３のウェブを介してその上に直接隣接しているディスクの外縁部に連結されておりかつそれ自体の外縁部が少なくとも１つの第４のウェブを介してその下に直接隣接しているディスクに連結されているようにすれば特別有利である。このようにして、それぞれが異なった周波数領域において共振する２つより多くの共振器を備えているスロットアンテナが実現され、その結果信号の放射および／または受信のために２つより多くの周波数領域を有しているマルチバンドアンテナを実現することができる。その際共振器を上下方向に重ねて配置することで、コンパクトでかつスペースを節約した構造形態が実現される。
【００１１】
図面
本発明の実施例が図面に示されておりかつ以下の記述において詳細に説明する。その際図１は本発明のスロットアンテナの第１実施例を示し、図２は本発明のスロットアンテナの第２実施例を示している。
【００１２】
実施例の説明
図１において１でスロットアンテナが示されている。スロットアンテナは基準電位を形成する導電性のグラウンドプレーン５とは離れている第１の導電性のディスク１０を有している。その際第１のディスク１０はほぼ円形の外縁部１５を有している。この第１のディスクは同心の、ほぼ円形の第１の切り欠き２５に基づいて実現されている。外縁部１５で第１のディスク１０は第１の導電性ウェブ２０，第４の導電性ウェブ２１および第５の導電性ウェブ２２を介してグラウンドプレーン５に連結されている。その際これらウェブ２０，２１，２２は第１のディスク１０およびグラウンドプレーン５に対してほぼ垂直でありかつそれぞれ約１２０°づつ相互にずらして配置されている。従ってそれぞれ２つのお互いに隣接しているウェブ間にスロットアンテナエレメントが形成される。第１のディスク１０，上述したウェブ２０，２１，２２およびグラウンドプレーン５は、第１の周波数領域における無線信号を放射および／または受信するための３つのスロットアンテナエレメントとともに第１の共振器エレメントを形成している。第１の周波数領域はこの領域の中心周波数として例えば約９００ＭＨｚの第１の作動周波数を有している。その際第１のディスク１０の外縁部１５の直径は３つのウェブ２０，２１，２２によって形成されるスロットアンテナエレメントがそれぞれ、第１の作動波長のほぼ１／２の長さを有しているように選定されるべきである。その際それぞれのスロットアンテナエレメントの長さは２つの互いに隣接しているウェブ間の第１のディスク１０の外縁部１５の長さに相応している。
【００１３】
第１の切り欠き２５の上方で、図１に示されているように、第２の導電性のディスク３０が配設されている。これは円形に実現されておりかつ第１のディスク１０および第１の切り欠き２５に対して同心的に配置されている。その直径は第１の切り欠き２５の直径にほぼ相応している。第２のディスク３０の外縁部３５は第２の導電性のウェブ４０，第６の導電性のウェブ４１および第７の導電性のウェブ４２を介して第１のディスク１０に連結されており、その際第２のウェブ４０，第６のウェブ４１および第７のウェブ４２も第２のディスク３０および第１のディスク１０に対してほぼ垂直である。その際際第２のウェブ４０，第６のウェブ４１および第７のウェブ４２は第１のディスク１０と第１の切り欠き２５の縁で接触して連結されている。第２のディスク３０は第２のウェブ４０，第６のウェブ４１および第７のウェブ４２および第１のディスク１０とともにスロットアンテナ１の第２の共振器エレメントを形成している。その際第２のウェブ４０，第６のウェブ４１および第７のウェブ４２は同じようにそれぞれほぼ１２０°づつ相互にずらして配置されている。その際第１の共振器エレメントの場合のように、第２の共振器エレメントの互いに隣接し合うウェブ間にそれぞれこの場合にもスロットアンテナエレメントが形成される。従って第１の共振器エレメントも第２の共振器エレメントもそれぞれ３つのスロットアンテナエレメントを有している。第２のディスク３０の直径は第１の切り欠き２５の直径にほぼ相応しているので、第２のディスク３０の直径は第１のディスク１０の直径より小さいので、第２の共振器エレメントに対してはそこの３つのスロットアンテナエレメントに対して比較的小さなスロット長が実現される。従って第２の共振器エレメントは第２の作動周波数での共振を有しており、第２の作動周波数は第１の作動周波数における第１の共振器エレメントの共振より大きくかつ無線信号の放射および／または受信のための第２の周波数領域に中心周波数を有している。従って第２の共振器エレメントのスロットアンテナエレメントのスロット長、すなわち第２の共振器エレメントの相互に隣接し合う２つのウェブ間の相互距離は、大体第２の作動波長の１／２であり、その際第２のディスク３０の外縁部の、第２の共振器エレメントの相互に隣接しているウェブ間の長さがこの距離を形成しかつそれは第２の作動波長のほぼ、すなわち実質的に１／２に等しい。
【００１４】
第１の切り欠き２５と比べて小さい、グラウンドプレーン５の開口７０を介して、第２のディスク３０にアンテナ導体４５が導かれておりかつ第２のディスク３０のほぼ中央でこれと導電接続されている。しかしアンテナ導体４５は第１のディスク１０には接続されていない。
【００１５】
第２の上に述べた共振器エレメントに基づいてスロットアンテナ１を、無線信号を送信しおよび／または受信するための２つの異なった周波数領域において作動させることができる。その際第２の作動周波数は例えば、約１８００ＭＨｚにある。第１のディスク１０、第２のディスク３０および第１の切り欠き２５並びに共振器エレメント当たりそれぞれほぼ１２０°づつ相互にずれている３つのウェブの使用に基づいて、スロットアンテナ１の２つの共振器エレメントのそれぞれは回転対称の指向特性を有している。これは垂直方向の偏波を有する円形放射パターンの形である。垂直平面および水平平面におけるそれぞれの放射パターンはモノポール、例えばλ／４放射器に相応している。更に、図１のスロットアンテナ１は極端に僅かな構造高さを有している。にも拘わらずスロットアンテナ１は共振器エレメント当たりそれぞれ３つのスロットを有するという構造により、２つの周波数領域に対して比較的高い帯域幅を有している。
【００１６】
これまで説明してきた例において、第１の共振器エレメントのウェブ２０，２１，２２は第１のディスク１０の外縁部１５に配置されておりかつ第２の共振器エレメントのウェブ４０，４１，４２は第２のディスク３０の外縁部３５に配置されている。その際ウェブはそれぞれのディスクの外縁部１５，３５の領域においてそれぞれのディスク中心点の一層近くに配置されていてもよい。
【００１７】
グラウンドプレーン５は第１の共振器エレメントに対して基準電位を形成し、これに対して第２の共振器エレメントは第１の共振器エレメントを基準電位としてのグラウンドプレーン５と一緒に使用する。第１の共振器エレメントのウェブ２０，２１，２２および第２の共振器エレメントのウェブ４０，４１，４２が適当に構成されかつ寸法規定されていれば、２つの作動周波数に対して、スロットアンテナ１の給電点、すなわちアンテナ導体４５の接続点に同じインピーダンスを有している共振が実現される。給電点、すなわち接続点は第２のディスク３０のほぼ中心、ひいてはスロットアンテナ１のいわゆるヘッド点にある。このような構成において、脚点、すなわちアンテナ導体４５とそこで接続され、先へと延びているアンテナケーブルとの間の接続点におけるインピーダンスは例えば５０Ωとすることができる。接続点は大体、グラウンドプレーン５の平面内にある。従って、２つの共振器エレメントのいずれに対しても、インピーダンス整合のための付加的な給電網は必要ではない。
【００１８】
図１から分かるように、第１の共振器エレメントのウェブ２０，２１，２２は第２の共振器エレメントのウェブ４０，４１，４２に対して約６０°相互にずらされているかないし第１のディスク１０および第２のディスク３０の共通の長手軸線に関して回転されていることができる。このようにして２つの共振器エレメントに生じる電流および電圧最大値は一致せずに、１８０°だけ位相がずれている。従って、２つの作動周波数における申し分ない放射を可能にする電流分布が生じる。２つの共振器エレメントの相互作用はこのようにして低減される。
【００１９】
更に、第１の切り欠き２５の円面積は第２のディスク３０の円面積より小さいように設定することができる。このようにして第１のディスク１０の内側の縁部は第２のディスク３０の外側の縁部３５の下方で２つのディスク１０，３０の長手軸線の方向において内側へ引っ張られるが、このことはスロットアンテナ１の中心でアンテナ導体４５に接触接続されないで行われる。それから第２の共振器エレメントのウェブ４０，４１，４２は第１のディスク１０の内側の縁部と、第１の切り欠き２５の円面積および第２のディスク３０の円面積がほぼ同じ大きさである場合より離れたところで接触接続されている。このために、第２の共振器エレメントに対する指向特性はエレベーション放射パターンにおいて一層フラットになるのである。
【００２０】
説明してきたスロットアンテナ１はそのフラットな構造形式に基づいて例えば自動車への組み込みアンテナとして適していると同時に、導電性の材料から成る凹所に組み込むのにも適している。両方の場合ともスロットアンテナ１に誘電材料から成るカバーを備えることができる。自動車にはスロットアンテナ１に対して、車の屋根、トランク・リッド・パネル、場合によってはボンネット上での組み込み場所が提供される。
【００２１】
説明したスロットアンテナ１によって、非常に僅かな構造高さにおいてしかも付加的な給電網を使用せずとも２つの異なった周波数領域における送信および／または受信作動が可能である。
【００２２】
図１で説明してきた例においてそれぞれの共振器エレメントは３つのスロットを有している。しかしこれは例として示す構成にすぎない。もっと多くの数のスロットまたは少ない数のスロットを設けることもでき、その際いずれにせよ、隣接し合うウェブは作動波長のほぼ１／２の間隔を置いて相互に隣接して配置されていなければならず、その際この間隔はそれぞれのディスク１０，３０の外縁部を介して生じている。唯一のウェブしか有していない共振器エレメントの配置構成の場合、スロットはウェブの１つの自由な縁からウェブの別の自由な縁に延在し、その際共振器エレメントの所属のディスクを機械的に支えるために、ウェブに相対向している誘電体の固定エレメントを使用することができる。この場合も、外縁部を介して定められる、２つの自由なスロット端間の間隔、従ってスロット長は、共振器エレメントのほぼ１／２の作動波長に相応していなければならない。第１の共振器エレメントおよび第２の共振器エレメントに異なった数のウェブ、従って異なった数のスロットを備えるようにすることもできる。しかし共振器エレメント当たりに３つのスロットを有するという構成により、構造嵩、材料コストおよび費用が原因で生じるコストとそれぞれの周波数領域において可能である帯域幅の形における実現可能な利用効率との間の最適な関係が得られる。それぞれが１／２の作動波長の長さを有している３つのスロットを備えた共振器エレメントの実現により、所属のディスクの直径は約１／２の作動波長ということになる。これにより、エレベーションパターンにおける上方への、アンテナの放射は妨げられる。すなわち放射は専ら水平方向で生じる。
【００２３】
図１に示されているような２つの共振器エレメントを有するスロットアンテナ１は例えば、ＧＳＭ移動無線網（Ｇｌｏｂａｌ Ｓｙｓｔｅｍ ｆｏｒ Ｍｏｂｉｌｅ Ｃｏｍｍｕｎｉｃａｔｉｏｎ）の９００ＭＨｚおよび１８００ＭＨｚ周波数帯における移動無線用途に対して使用することができ、その際９００ＭＨｚ周波数帯における無線信号を送信しかつ受信するための第１の共振器エレメントおよび１８００ＭＨｚ周波数帯における無線信号を送信しかつ受信するための第２の共振器エレメントが設けられている。
【００２４】
スロットアンテナ１の上に説明した同心的な構造並びに第１のディスク１０の外縁部１５および第２のディスク３０の外縁部３５の円形の実現により、アジマス円形放射パターンを有する回転対称な指向特性の利点が得られる。しかし２つの共振器エレメントを非同心的に配置しかつ２つのディスク１０，３０の外縁部１５，３５が非円形に実現されていても構わない。その際スロットアンテナ１はディスク１０，３０の外縁部１５，３５が例えば、ｎ角形、例えば３角形または４角形の、卵形、楕円形または全く非対称に実現されていてもよく、その際ｎ角形に実現されている場合、角は滑らかにするとよい。従ってこの形式のスロットアンテナ１は２つの共振器エレメントに対してそれぞれ、優先方向を有する歪められたアジマス円形放射パターンを有している。アジマス円形放射パターンのこの種の歪みは外縁部１５，３５が相応に選定されている場合には意図的に補償のために使用することができる。つまり例えば、この種の歪みが自動車のクロスバー（Ｈｏｌｍ）またはルーフエッジが原因で生じるとき、自動車への取り付けの際にスロットアンテナ１の共振器エレメントの放射パターンの歪みにより反対方向で作用が生じるようにして、前以て決められた歪んだアジマス円形放射パターンによってこのような歪みは補償され、その結果この場合もほぼ近似的に、優先方向のない回転対称な円形放射パターンが生じるようにすることができる。
【００２５】
２つのディスク１０，３０の一方だけがｎ角形、卵形または楕円形または非対称な形を有し、２つのディスク１０，３０の他方はほぼ円形の周囲を有しているようにすることもできる。この場合、非円形の外縁部を有するディスクの共振器エレメントの指向特性だけが優先方向を有する歪んだアジマス円形放射パターンであり、一方円形の外縁部を有するディスクの共振器エレメントの指向特性は優先方向のないアジマス円形放射パターンである。２つの共振器エレメントがそれぞれ異なって成形されている外縁部を持ったディスクを有していて、しかもそれが円形の外縁部ではないようにすることもでき、その場合には２つの共振器エレメントは異なって歪んでいるアジマス円形放射パターンを有する異なった指向特性および優先方向を有している。さらに、第１の切り欠き２５が円形ではなくｎ角形、卵形、楕円形または非対称形に実現されているようにすることもできる。
【００２６】
説明してきたスロットアンテナ１は、第１の周波数領域が第１の移動無線網、例えばＧＳＭ移動無線網に対して設定されかつ第２の周波数領域が第２の移動無線網、例えばＥ−ネットワークに対して設定されるという、２つの異なった周波数領域において使用することもできる。この場合にはスロットアンテナ１によって相応の周波数帯において無線信号を送信しかつ受信することができる。
【００２７】
相応に、周波数帯の１つを例えば、ＵＭＴＳ（Ｕｎｉｖｅｒｓａｌ Ｍｏｂｉｌｅ Ｔｅｌｅｃｏｍｍｕｎｉｃａｔｉｏｎｓ Ｓｙｓｔｅｍｓ）移動無線網に対して設定することもできる。
【００２８】
しかし図２に示されているように、無線信号の送信および／または受信のための２より多くの周波数帯を実現するために２より多くの数の共振器エレメントをスロットアンテナ１に設けるようにすることもできる。その際図２において図１と同じエレメントには同じ参照符号が付されている。その際第１のディスク１０と第２のディスク３０との間に第３の導電性のディスク５０が配置されている。このディスクは円形状の外縁部６５を有しておりかつ第１のディスク１０および第２のディスク３０に対して同心的に配置されている。その際第３のディスク５０は第１の切り欠き２５の直径にほぼ相応している直径を有している。その際第３のディスク５０は外縁部６５が第４のウェブ６０，第８のウェブ６１および図２には図示されていない第９のウェブを介してその下に存在している第１のディスク１０に連結されており、その際第３のディスク５０、第４のウェブ６０，第８のウェブ６１、第９のウェブおよび第１のディスク１０が第３の共振器エレメントを形成する。その際第３の共振器エレメントのウェブは第１のディスク１０および第３のディスク５０に対してほぼ垂直に立っている。これらはそれぞれ約１２０°づつ相互にずらして配置されているので、第３の共振器エレメントに対して３つのスロットが形成される。第３のディスク５０の直径は第１のディスク１０の直径より小さいので、第３の共振器エレメントは、第１の作動周波数より大きい第３の作動周波数に共振周波数を有している。その際第３の共振器エレメントの２つの互いに隣接している、第３のディスク５０の外縁部６５を介するウェブ間の間隔はこの場合も、第３の作動波長のほぼ１／２に相応する。
【００２９】
第３のディスク５０はというと、第１のディスク１０および第２のディスク３０に対して同心的に第２の切り欠き５５を有している。この切り欠きは円形面でありかつこの切り欠きの上方には、第２のウェブ４０，第６のウェブ４１および第７のウェブ４２を有する第２のディスク３０が図１に関連して既に説明した仕方で配置されており、その際第２のディスク３０の直径は第２の切り欠き５５の直径にほぼ相応している。そこで第２のディスク３０は第２のウェブ４０，第６のウェブ４１および第７のウェブ４２並びに第３のディスク５０と一緒に第２の共振器エレメントを形成し、このエレメントの作動周波数は相応する方法で第３の作動周波数より大きい。
【００３０】
従って無線信号の送信および／または受信のための３つの異なった周波数帯を有するスロットアンテナ１が実現される。相応に、４つおよびそれ以上の数の周波数領域に対する４つおよびそれ以上の数の共振器エレメントを有するスロットアンテナも実現される。図１の実施例でも説明したように、第１の切り欠き２５の直径および／または第２の切り欠き５５の直径をそれぞれその上に存在しているディスクの直径よりも小さく選択して、第３の共振器エレメントおよび／または第２の共振器エレメントのエレベーション放射パターンにおいて一層フラットな放射が得られるようにすることができる。
【００３１】
これによりスロットアンテナ１を、無線信号の送信および／または受信のための複数の異なった周波数領域で作動させることができ、その際異なった周波数領域の数は使用のディスク１０，３０，５０の数に相応しており、それぞれの共振器エレメントの作動周波数はそれぞれのディスク１０，３０，５０の外縁部１５．３５，６５におけるスロット長に依存している。その際図１および図２に示されているように、ディスクの直径が大きくなればなるほど、ディスクはグラウンドプレーン５から僅かしか離間していないことになる。
【００３２】
アンテナ導体４５は図２の実施例では、グラウンドプレーン５の開口７０，第１の切り欠き２５および第２のディスク３０の切り欠き５５の真ん中を通ってガイドされかつディスク３０と導電接続されている。第２の共振器エレメントは第３の共振器エレメントおよび第１の共振器エレメントを基準電位としてのグラウンドプレーン５と一緒に利用する。第３の共振器エレメントは第１の共振器エレメントおよび基準電位としてのグラウンドプレーン５を利用する。第３のディスク５０および第１のディスク１０はアンテナ導体４５に接触していない。図２の実施例における第１の共振器エレメントは図１の実施例の場合と同様に、グラウンドプレーン５に接触することなしに、グラウンドプレーン５における開口７を介して導かれている。
【００３３】
２つより多くの共振器エレメントを有する図２の実施例の場合にも、図１の実施例に対して既に説明した仕方において、２つの共振器エレメントの少なくとも１つに、所属のディスクのそれぞれ異なっている外縁部および／またはその下に存在しているディスクの、それぞれ種々異なっている形状の所属の切り欠きを備えるようにすることができる。
【００３４】
個々の共振器のスロットないしウェブの数は可変であるので、低域の周波数共振器を上におくことも可能であるが、そのために下側のより高周波の共振器の場合よりも僅かな数のスロットを有していればよい。
【図面の簡単な説明】
【図１】本発明の第１の実施例の概略図である。
【図２】本発明の第２の実施例の概略図である。
【国際公開パンフレット】
2004502370.tif 000003
2004502370.tif 000004
2004502370.tif 000005
2004502370.tif 000006
2004502370.tif 000007
2004502370.tif 000008
2004502370.tif 000009
2004502370.tif 000010
2004502370.tif 000011
2004502370.tif 000012
2004502370.tif 000013
2004502370.tif 000014
2004502370.tif 000015
2004502370.tif 000016
2004502370.tif 000017
2004502370.tif 000018
2004502370.tif 000019
2004502370.tif 000020
2004502370.tif 000021
2004502370.tif 000022
2004502370.tif 000023
2004502370.tif 000024
【国際調査報告】
2004502370.tif 000025
2004502370.tif 000026
2004502370.tif 000027
2004502370.tif 000028
2004502370.tif 000029
2004502370.tif 000030